(57)【要約】【課題】組立ブロックのブロック塊状体を三次元的に連結した大きな作品を容易に組み立てられる付属部材を提供する。【解決手段】棒体１と多面ブロック体２とから成り、棒体１は、ブロック板３又はジョイント４を挿入した状態で保持できるスロット１１が長さ方向に多数配置され、端部に弾性を有する二股部１４を備え、二股部１４の先端に係止突起１５が設けられたものとし、多面ブロック体２は、外面をなす各面のうち、複数の面で開口する差込穴２１を有するものとする。多面ブロック体２の差込穴２１に棒体１の二股部１４が差し込まれると、差込穴２１の端縁に臨む部分に二股部１４の係止突起１５が係合し、差込穴２１に対し棒体１が位置決めされて抜け止めされる。【選択図】図１
2019134840.tif 000002
【特許請求の範囲】
【請求項１】
ブロック板(3)の受口(31)にジョイント(4)のプラグ(41)を差し込んでブロック板(3)同士を連結し、ブロック塊状体(5)を組み立てる組立ブロックの付属部材であって、棒体(1)と多面ブロック体(2)とから成り、
前記棒体(1)は、前記ブロック板(3)又は前記ジョイント(4)を挿入した状態で保持できるスロット(11)が長さ方向に多数配置され、端部に弾性を有する二股部(14)を備え、前記二股部(14)の先端に係止突起(15)が設けられたものとされ、
前記多面ブロック体(2)は、複数の面で開口する差込穴(21)を有するものとされ、
前記差込穴(21)に前記棒体(1)の二股部(14)が差し込まれ、前記差込穴(21)の端縁に臨む部分に前記二股部(14)の係止突起(15)が係合し、前記差込穴(21)に対し前記棒体(1)が位置決めされて抜け止めされる組立ブロックの付属部材。
【請求項２】
前記棒体(1)は、隣り合う前記スロット(11)同士の中心軸線の間隔(P1)が、前記ジョイント(4)を介して連結された隣り合う前記ブロック板(3)同士の中心軸線の間隔(P2)と同一寸法となっていることを特徴とする請求項１に記載の組立ブロックの付属部材。
【請求項３】
前記多面ブロック体(2)は、立方体状又は正五角柱状若しくは正六角柱状以上の正多角柱状とされ、それらの全ての面に前記差込穴(21)が設けられていることを特徴とする請求項１又は２に記載の組立ブロックの付属部材。
【発明の詳細な説明】
【技術分野】
【０００１】
この発明は、組立ブロックにより三次元的な立体作品を組み立てるための付属部材に関するものである。
【背景技術】
【０００２】
本出願人は、下記特許文献１に記載した発明に基づいて、図９に示すように、平面形状が正方形及び正三角形のブロック板３と、このブロック板３同士を連結するジョイント４の組み合わせから成るプラスチック製の組立ブロック［商品名：ＬａＱ（登録商標）］を提供している。このような組立ブロックは、既に広く流通している（実際の形状は下記特許文献２〜４参照）。
【０００３】
このブロック板３の周囲各辺には、表面側と裏面側が窪んだ受口３１が形成され、受口３１には突条３２が設けられている。ジョイント４には、プラグ４１が少なくとも二方向へ向けて突設され、プラグ４１の内面に彫溝４２が設けられている。また、プラグ４１の基部間には両側へ延びる角柱状の側延部４３が張り出している。
【０００４】
このようなブロック板３同士を連結する際、ブロック板３の受口３１にジョイント４のプラグ４１を嵌めると、プラグ４１の外縁が受口３１の奥側の段差に当接すると共に、突条３２が彫溝４２に係合し、側延部４３がブロック板３の外周面に当接して、連結状態が安定する。
【０００５】
ジョイント４には連結態様に応じて複数の種類が存在し、図示した基本的なタイプは、プラグ４１が同一平面で二方向に突出する形状とされている。そのほか、プラグ４１が直交する二方向に突出するもの、直交する三方向に突出するもの、１２０°の角度で二方向に突出するもの、プラグ４１の基端間の距離が大きなものなどが用意されている。
【先行技術文献】
【特許文献】
【０００６】
【特許文献１】特許第３２２１６３７号公報
【特許文献２】意匠登録第９２９７８５号公報
【特許文献３】意匠登録第９２９７８６号公報
【特許文献４】意匠登録第９２９７８７号公報
【発明の概要】
【発明が解決しようとする課題】
【０００７】
しかしながら、上記のような組立ブロックの部材だけでは、複数のブロック板３がジョイント４を介して繋ぎ合わされたブロック塊状体５を、さらに三次元的に連結して大きな作品を組み立てることが難しいという問題がある。
【０００８】
そこで、この発明は、組立ブロックのブロック塊状体を三次元的に連結した大きな作品を容易に組み立てられる付属部材を提供しようとするものである。
【課題を解決するための手段】
【０００９】
上記課題を解決するため、この発明は、ブロック板の受口にジョイントのプラグを差し込んでブロック板同士を連結し、ブロック塊状体を組み立てる組立ブロックの付属部材であって、棒体と多面ブロック体とから成り、
前記棒体は、前記ブロック板又は前記ジョイントを挿入した状態で保持できるスロットが長さ方向に多数配置され、端部に弾性を有する二股部を備え、前記二股部の先端に係止突起が設けられたものとされ、
前記多面ブロック体は、複数の面で開口する差込穴を有するものとされ、
前記差込穴に前記棒体の二股部が差し込まれ、前記差込穴の端縁に臨む部分に前記二股部の係止突起が係合し、前記差込穴に対し前記棒体が位置決めされて抜け止めされる組立ブロックの付属部材を提供することとしたのである。
【００１０】
また、前記棒体は、隣り合う前記スロット同士の中心軸線の間隔が、前記ジョイントを介して連結された隣り合う前記ブロック板同士の中心軸線の間隔と同一寸法となっているものとしたのである。
【００１１】
また、前記多面ブロック体は、立方体状又は正五角柱状若しくは正六角柱状以上の正多角柱状とされ、それらの全ての面に前記差込穴が設けられているものとしたのである。
【発明の効果】
【００１２】
この発明に係る棒体と多面ブロック体を使用すると、複数本の棒体の端部を、多面ブロック体の異なる面の差込穴にそれぞれ差し込んで、棒体のスロットにブロック塊状体を構成するブロック板又はジョイントを挿入することにより、組立ブロックのブロック塊状体を三次元的に連結した大きな作品を容易に組み立てることができる。
【図面の簡単な説明】
【００１３】
【図１】この発明に係る棒体と多面ブロック体を使用して組立ブロックのブロック塊状体を連結した作品例を示す斜視図
【図２】棒体の隣り合うスロットとジョイントで連結された隣り合うブロック板の寸法関係を示す正面図
【図３】長い棒体の（３Ａ）斜視図、（３Ｂ）平面図、（３Ｃ）正面図
【図４】短い棒体の（４Ａ）斜視図、（４Ｂ）平面図、（４Ｃ）正面図
【図５】立方体状の多面ブロック体の（５Ａ）斜視図、（５Ｂ）平面図、（５Ｃ）正面図、（５Ｄ）（５Ｃ）のＳ５Ｄ−Ｓ５Ｄ断面図
【図６】多面ブロック体の差込穴への棒体の端部の（６Ａ）差込過程を示す断面図、（６Ｂ）差込状態を示す断面図
【図７】正五角柱状の多面ブロック体の（７Ａ）斜視図、（７Ｂ）平面図、（７Ｃ）正面図、（７Ｄ）（７Ｃ）のＳ７Ｄ−Ｓ７Ｄ断面図、（７Ｅ）棒体の差込状態を示す断面図
【図８】正六角柱状の多面ブロック体の（８Ａ）斜視図、（８Ｂ）平面図、（８Ｃ）正面図、（８Ｄ）（８Ｃ）のＳ８Ｄ−Ｓ８Ｄ断面図、（８Ｅ）棒体の差込状態を示す断面図
【図９】組立ブロックのブロック板とジョイントを示す斜視図
【発明を実施するための形態】
【００１４】
以下、この発明の実施形態を添付図面に基づいて説明する。
【００１５】
図１に示すように、棒体１と多面ブロック体２は、ブロック板３とジョイント４とを構成パーツとする組立ブロックの付属部材であり、プラスチック製とされている。ブロック板３は、数種類のジョイント４を介して複数繋ぎ合わせることにより、多様な形状のブロック塊状体５を組み立てることができる。
【００１６】
棒体１には、様々な長さのものがあり、図３は長い棒体１を示し、図４は短い棒体１を示す。この棒体１は、スロット１１が長さ方向に多数配置され、両側の側桿１２の間に桟部１３が形成された梯子状となっており、縦断面は正方形となっている。
【００１７】
スロット１１は、棒体１の軸方向に延び、スロット１１の長さは、正方形及び正三角形のそれぞれのブロック板３の一辺の長さより僅かに大きい寸法に設定され、スロット１１の幅は、ブロック板３の厚さよりも僅かに大きい寸法に設定されている。
【００１８】
このため、スロット１１は、その幅方向にブロック板３又はジョイント４の厚さ方向を一致させて挿入でき、その状態でブロック板３又はジョイント４を保持できる。
【００１９】
そして、図２に示すように、隣り合うスロット１１同士の中心軸線の間隔Ｐ１は、基本的なタイプのジョイント４を介して連結された隣り合うブロック板３同士の中心軸線の間隔Ｐ２と同じ寸法となっている。
【００２０】
また、図３及び図４に示すように、棒体１の両端部には、可撓弾性を有する側桿１２の自由端により二股部１４が形成され、二股部１４のそれぞれの側桿１２の外面側に係止突起１５が設けられている。
【００２１】
係止突起１５は、二股部１４の先端側に位置する差込凸部１５ａと、それより基部側に間隔をあけて位置するストッパ凸部１５ｂとから成る。一対の側桿１２の差込凸部１５ａには、先細りのテーパー状をなすように傾斜面が形成されている。
【００２２】
多面ブロック体２には、図５に示す立方体状のもの、図７に示す正五角柱状のもの、図８に示す正六角柱状のものが用意されている。正五角柱状及び正六角柱状の多面ブロック体２は、高さ寸法が平面の外接円の直径より小さいものとなっている。
【００２３】
これらの多面ブロック体２は、中空構造であって、外面をなす各面の全ての面に正方形の差込穴２１が設けられ、差込穴２１は、内部の空洞と連通している。
【００２４】
上記のような棒体１と多面ブロック体２とを結合する手順を、立方体状の多面ブロック体２について図６に示す。
【００２５】
この結合に際しては、まず、図６（６Ａ）に示すように、棒体１の二股部１４を握って一対の側桿１２を間隔が縮まるように撓ませ、係止突起１５の差込凸部１５ａを多面ブロック体２の差込穴２１に差し込む。
【００２６】
このとき、差込凸部１５ａは、傾斜面に案内されて差込穴２１に誘導されるので、容易に差し込むことができる。
【００２７】
また、棒体１の縦断面形状と差込穴２１の開口形状は、どちらも正方形となっているので、棒体１と差込穴２１の相対的な向きにかかわらず、差し込むことができる。
【００２８】
そして、図６（６Ｂ）に示すように、差込凸部１５ａが差込穴２１に完全に差し込まれると、係止突起１５のストッパ凸部１５ｂが差込穴２１の周縁に臨む外面に当接し、差込穴２１への棒体１の差込が制限される。
【００２９】
その後、二股部１４の握りを離すと、一対の側桿１２の撓みが復元し、差込凸部１５ａが差込穴２１の周縁に臨む内面に当接して、多面ブロック体２の殻壁が係止突起１５の差込凸部１５ａとストッパ凸部１５ｂに挟まれるので、差込穴２１に対し棒体１が位置決めされて抜け止めされる。
【００３０】
同様にして、図７（Ｅ）及び図８（Ｅ）に示すように、正五角柱状や正六角柱状の各面の差込穴２１にも、棒体１の端部の二股部１４を差し込んで、係止突起１５により係止することができる。
【００３１】
上記のような棒体１と多面ブロック体２を使用すると、図１に示すように、複数本の棒体１の端部を、多面ブロック体２の異なる面の差込穴２１にそれぞれ差し込んで、棒体１のスロット１１にブロック塊状体５を構成するブロック板３又はジョイント４を挿入することにより、ブロック塊状体５を三次元的に連結した大きな作品を容易に組み立てることができる。
【００３２】
なお、上記実施形態では、多面ブロック体２として、立方体状のものと、正五角柱状及び正六角柱状のものを例示したが、多面ブロック体２は、正六角柱状以上の正多角柱状であって、外面をなす各面の全ての面に差込穴２１が設けられたものとしてもよい。
【符号の説明】
【００３３】
１  棒体
２  多面ブロック体
３  ブロック板
４  ジョイント
５  ブロック塊状体
１１  スロット
１２  側桿
１３  桟部
１４  二股部
１５  係止突起
１５ａ  差込凸部
１５ｂ  ストッパ凸部
２１  差込穴
３１  受口
３２  突条
４１  プラグ
４２  彫溝
４３  側延部
【図１】
2019134840.tif 000003
【図２】
2019134840.tif 000004
【図３】
2019134840.tif 000005
【図４】
2019134840.tif 000006
【図５】
2019134840.tif 000007
【図６】
2019134840.tif 000008
【図７】
2019134840.tif 000009
【図８】
2019134840.tif 000010
【図９】
2019134840.tif 000011